(57)【要約】【課題】  簡単な構成で映像の高速コピー中の信号をモニタリングする。【解決手段】  本発明の高速ダビング装置は、２倍速で再生された信号１，３を信号処理の単位である奇数及び偶数のセグメントに変換した後に、奇数及び偶数のセグメントをそれぞれ時間軸伸張し、１倍速の奇数及び偶数のセグメントの２本のストリーム２，４を得る。この２本のストリームを１倍速で再生の信号処理を行い、信号処理した後に、奇数及び偶数のセグメントをそれぞれ時間軸圧縮して２倍速のベースバンド信号を得て、２倍速のベースバンド信号を２倍速で記録する。このとき、ストリーム２，４を片方だけ、または適宜切り替えると共に時間軸を整えてモニタリングのための信号を得る。【選択図】        図１  
2005341036.tif 000002
【特許請求の範囲】
【請求項１】
n倍速で再生された信号の記録を再生と同時に行う高速ダビング装置において、
上記n倍速で再生された信号を信号処理の単位である複数のセグメントに変換した後に、上記複数のセグメントをそれぞれ時間軸伸張し、１倍速の複数本のストリームを得る手段と、
上記複数本のストリームを１倍速で再生の信号処理を行う手段と、
上記信号処理した後に、上記複数のセグメントをそれぞれ時間軸圧縮してn倍速のベースバンド信号を得る手段と、
上記n倍速のベースバンド信号をn倍速で記録する手段と、
を備えたことを特徴とする高速ダビング装置。
【請求項２】
請求項１記載の高速ダビング装置において、
上記複数のセグメントは奇数及び偶数のフィールドであり、上記再生の信号処理は復調処理であることを特徴とする高速ダビング装置。
【請求項３】
n倍速で再生された信号の記録を再生と同時に行う高速ダビング装置において、
上記n倍速で再生された信号を信号処理の単位である複数のセグメントに変換した後に、上記複数のセグメントをそれぞれ時間軸伸張し、１倍速の複数本のストリームを得る手段と、
上記複数本のストリームを１倍速で再生の信号処理を行う手段と、
上記信号処理した後に、上記複数のセグメントをそれぞれ時間軸圧縮してn倍速のベースバンド信号を得る手段と、
上記n倍速のベースバンド信号をn倍速で記録する手段と、
上記１倍速で再生の信号処理を行った後に、上記信号処理した複数のベースバンド信号から選択的にモニタ表示用のモニタリング信号を取り出す手段と、
上記時間軸伸張及び上記伸張圧縮のために上記複数本のストリーム間の時間合わせ処理を行う手段と、
を備えたことを特徴とする高速ダビング装置。
【請求項４】
請求項３記載の高速ダビング装置において、
上記複数のセグメントは奇数及び偶数のフィールドであり、上記再生の信号処理は復調処理であり、上記モニタリング信号は奇数及び偶数のフィールドから半フィールド毎に交代して選択され、上記時間合わせ処理は上記モニタリング信号の水平ラインに関する処理であることを特徴とする高速ダビング装置。
【請求項５】
請求項３記載の高速ダビング装置において、
上記複数のセグメントは奇数及び偶数のフィールドであり、上記再生の信号処理は復調処理であり、上記モニタリング信号は奇数又は偶数のフィールドから片フィールドのみが選択され、上記時間合わせ処理は上記モニタリング信号の水平ラインに関する処理であることを特徴とする高速ダビング装置。
【請求項６】
請求項３記載の高速ダビング装置において、
上記複数のセグメントは奇数及び偶数のフィールドであり、上記再生の信号処理は復調処理であり、上記モニタリング信号は奇数及び偶数のフィールドから両フィールド毎に交代して選択され、上記時間合わせ処理は上記モニタリング信号の水平ラインに関する処理であることを特徴とする高速ダビング装置。
【請求項７】
n倍速で再生された信号の記録を再生と同時に行う高速ダビング装置において、
上記n倍速で再生された信号のうちの輝度信号を信号処理の単位である複数のセグメントに変換した後に、上記複数のセグメントをそれぞれ時間軸伸張し、１倍速の複数本の輝度信号のストリームを得る手段と、
上記複数本の輝度信号のストリームを１倍速で再生の信号処理を行う手段と、
上記n倍速で再生された信号のうちの色信号をn倍速で再生の信号処理を行う手段と、
上記輝度信号の信号処理をした後に、上記複数の輝度信号のセグメントをそれぞれ時間軸圧縮して、上記信号処理後の色信号と混合してn倍速のベースバンド信号を得る手段と、
上記n倍速のベースバンド信号をn倍速で記録する手段と、
上記１倍速で輝度信号の再生の信号処理を行った後に、上記信号処理した複数の輝度信号のベースバンド信号から選択的にモニタ表示用の輝度信号のモニタリング信号を取り出す手段と、
上記時間軸伸張及び上記伸張圧縮のために上記複数本の輝度信号のストリーム間の時間合わせ処理を行う手段と、
上記n倍速で信号処理再生された色信号を信号処理の単位である複数のセグメントに変換した後に、上記複数のセグメントをそれぞれ時間軸伸張し、１倍速の複数本の色信号のストリームを得る手段と、
上記１倍速の複数の色信号のベースバンド信号から選択的にモニタ表示用の色信号のモニタリング信号を取り出す手段と、
上記時間軸伸張のために上記複数本の色信号のストリーム間の時間合わせ処理を行う手段と、
を備えたことを特徴とする高速ダビング装置。
【請求項８】
請求項７記載の高速ダビング装置において、
上記輝度信号及び上記色信号の上記複数のセグメントは奇数及び偶数のフィールドであり、上記輝度信号及び上記色信号の上記再生の信号処理は復調処理であり、上記輝度信号及び上記色信号のモニタリング信号は奇数及び偶数のフィールドから半フィールド毎に交代して選択され、上記輝度信号及び上記色信号の上記時間合わせ処理は上記モニタリング信号の水平ラインに関する処理であることを特徴とする高速ダビング装置。
【請求項９】
請求項７記載の高速ダビング装置において、
上記輝度信号及び上記色信号の上記複数のセグメントは奇数及び偶数のフィールドであり、上記輝度信号及び上記色信号の上記再生の信号処理は復調処理であり、上記輝度信号及び上記色信号の上記モニタリング信号は奇数又は偶数のフィールドから片フィールドのみが選択され、上記輝度信号及び上記色信号の上記時間合わせ処理は上記モニタリング信号の水平ラインに関する処理であることを特徴とする高速ダビング装置。
【請求項１０】
請求項７記載の高速ダビング装置において、
上記輝度信号及び上記色信号の上記複数のセグメントは奇数及び偶数のフィールドであり、上記輝度信号及び上記色信号の上記再生の信号処理は復調処理であり、上記輝度信号及び上記色信号の上記モニタリング信号は奇数及び偶数のフィールドから両フィールド毎に交代して選択され、上記輝度信号及び上記色信号の上記時間合わせ処理は上記モニタリング信号の水平ラインに関する処理であることを特徴とする高速ダビング装置。
【請求項１１】
n倍速で再生された信号の記録を再生と同時に行う高速ダビング方法において、
上記n倍速で再生された信号を信号処理の単位である複数のセグメントに変換した後に、上記複数のセグメントをそれぞれ時間軸伸張し、１倍速の複数本のストリームを得るステップと、
上記複数本のストリームを１倍速で再生の信号処理を行うステップと、
上記信号処理した後に、上記複数のセグメントをそれぞれ時間軸圧縮してn倍速のベースバンド信号を得るステップと、
上記n倍速のベースバンド信号をn倍速で記録するステップと、
を備えたことを特徴とする高速ダビング方法。
【請求項１２】
n倍速で再生された信号の記録を再生と同時に行う高速ダビング方法において、
上記n倍速で再生された信号を信号処理の単位である複数のセグメントに変換した後に、上記複数のセグメントをそれぞれ時間軸伸張し、１倍速の複数本のストリームを得るステップと、
上記複数本のストリームを１倍速で再生の信号処理を行うステップと、
上記時間軸伸張及び上記伸張圧縮のために上記複数本のストリーム間の時間合わせ処理を行うステップと、
上記１倍速で再生の信号処理を行った後に、上記信号処理した複数のベースバンド信号から選択的にモニタ表示用のモニタリング信号を取り出すステップと、
上記信号処理した後に、上記複数のセグメントをそれぞれ時間軸圧縮してn倍速のベースバンド信号を得るステップと、
上記n倍速のベースバンド信号をn倍速で記録するステップと、
を備えたことを特徴とする高速ダビング装置。
【請求項１３】
n倍速で再生された信号の記録を再生と同時に行う高速ダビング方法において、
上記n倍速で再生された信号のうちの輝度信号を信号処理の単位である複数のセグメントに変換した後に、上記複数のセグメントをそれぞれ時間軸伸張し、１倍速の複数本の輝度信号のストリームを得るステップと、
上記複数本の輝度信号のストリームを１倍速で再生の信号処理を行うステップと、
上記n倍速で再生された信号のうちの色信号をn倍速で再生の信号処理を行うステップと、
上記時間軸伸張及び上記伸張圧縮のために上記複数本の輝度信号のストリーム間の時間合わせ処理を行うステップと、
上記１倍速で輝度信号の再生の信号処理を行った後に、上記信号処理した複数の輝度信号のベースバンド信号から選択的にモニタ表示用の輝度信号のモニタリング信号を取り出すステップと、
上記n倍速で信号処理再生された色信号を信号処理の単位である複数のセグメントに変換した後に、上記複数のセグメントをそれぞれ時間軸伸張し、１倍速の複数本の色信号のストリームを得るステップと、
上記時間軸伸張のために上記複数本の色信号のストリーム間の時間合わせ処理を行うステップと、
上記１倍速の複数の色信号のベースバンド信号から選択的にモニタ表示用の色信号のモニタリング信号を取り出すステップと、
上記輝度信号の信号処理をした後に、上記複数の輝度信号のセグメントをそれぞれ時間軸圧縮して、上記信号処理後の色信号と混合してn倍速のベースバンド信号を得るステップと、
上記n倍速のベースバンド信号をn倍速で記録するステップと、
を備えたことを特徴とする高速ダビング方法。
【発明の詳細な説明】
【技術分野】
【０００１】
本発明は、例えば、再生された信号を同時に高速で記録する高速ダビング装置及び高速ダビング方法に関する。
【背景技術】
【０００２】
最近では、磁気テープ上にベータフォーマット、８ミリフォーマット、VHS(video home system)フォーマットなどの記録フォーマットにより既に録画されたコンテンツをデジタル化してハードディクスや光ディスクに保存したいというユーザの要望がある。この場合、大量に蓄積したライブラリをデジタル化するには多くの時間を消費するので、より、高速にデジタル化することが要求される。
【０００３】
従来から、高速コピーを行う例として、図１４に示すように再生信号から倍速の記録信号を得るように高速でダビングするために、分割マスタテープを作成する装置が用いられていた（特許文献１参照）。
【０００４】
ここでは、まず、再生信号をセグメントに分割し、図１４Ａに示す第１の再生信号のように奇数セグメントだけを集めたテープと、図１４Ｃに示す第２の再生信号のように偶数セグメントを集めたテープの合計２本のテープを作成する。次に、この２本のテープを２台の再生機で同期を取りながら、２倍速再生して、その出力を交互に取り出し、最後に、２倍速で１台の記録機で図１４Ｂに示す２倍速記録信号をテープに記録する。
【０００５】
この場合、分割マスタテープを作成する装置において、回転ドラムもキャプスタンもキャプスタン・ドラム制御回路からの制御に基づいたドラム駆動モータ及びキャプスタンモータによる回転駆動により通常の２倍の速度で回すようにしていた。これにより、磁気テープに記録される２倍レート映像信号及び２倍レート音声信号によるテープパターンは通常のフォーマットに合わせるようにしていた。
【特許文献１】特開平04-247304号公報
【発明の開示】
【発明が解決しようとする課題】
【０００６】
しかし、上述した従来の分割マスタテープを作成するダビング方法は大量に複製を作る場合には有効であるが、複製をひとつ作るには２本のサブマスターを作る工程が入るので、２倍速にして時間を節約する目的が達成できないという不都合があった。
【０００７】
また、映像信号の処理について、詳しい説明がないが、VHSなどアナログフォーマットの場合、再生機と録画機の接続はベースバンドのコンポジット信号によるものと考えられる。２倍速信号を扱うのに、アナログ信号処理では、デジタル信号処理の様に、既存の回路のクロック周波数を２倍にするという訳にはいかず、専用の回路が必要になる。コンポジット信号の扱いではA/D(analog to digital)コンバータが１つで済むメリットはあるが、色信号の分離、混合で回路が複雑になると共に、帯域、干渉の面からの画質劣化が生ずるという不都合があった。
【０００８】
また、高速コピー中の信号をモニタで表示することにより視覚で確認したい場合があるが、その方法が提示されていなかった。
また、色信号に関しては１倍速に戻したRF(radio frequency)信号（アナログ）から、従来の再生系色信号処理をするのが常識的であるが、その方法が提示されていなかった。
【０００９】
そこで、本発明は、単一の装置で簡単な構成により画質劣化を防止することができ、また、高速コピー中の信号をモニタリングすることができ、また、色信号処理も施して画質を向上させることができる高速ダビング装置及び高速ダビング方法を提供することを目的とするものである。
【課題を解決するための手段】
【００１０】
上記課題を解決し、本発明の目的を達成するため、本発明の高速ダビング装置は、n倍速で再生された信号を信号処理の単位である複数のセグメントに変換した後に、複数のセグメントをそれぞれ時間軸伸張し、１倍速の複数本のストリームを得る手段と、複数本のストリームを１倍速で再生の信号処理を行う手段と、信号処理した後に、複数のセグメントをそれぞれ時間軸圧縮してn倍速のベースバンド信号を得る手段と、n倍速のベースバンド信号をn倍速で記録する手段とを備えたものである。
【００１１】
これによれば、例えば、まず、n倍速のテープスピード及びn倍速のドラムスピードでアナログビデオ信号を再生してアナログRF信号を得る。このアナログRF信号をA/D変換して、そのRF信号をある単位で分割する。分割した単位毎にn倍に時間軸伸張してn本のストリームを得る。
【００１２】
次に、各ストリームを復調して、復調されたストリームを1/nへ時間軸圧縮することにより、n倍速のベースバンド信号をn倍速で記録する。ここでは、例えば、ある単位を映像信号のフィールト単位とし、n倍速で記録する再の信号をn倍速のコンポーネント信号とする。
【００１３】
上述した倍速ダビングパラレル方式により、例えば、２倍速でDVD(digital versatile disc)などデジタルメディアにダビングする場合には、まず、テープスピード及びドラム回転速度を２倍としてアナログビデオ信号を再生する。その信号（RF）をセグメント単位に分割してA/D変換し、時間軸伸張して２本の１倍速信号を得る。次に、それぞれのセグメント単位で１倍速信号をD/A変換してから復調して、ベースバンド信号を得る。これを再びA/D変換して２倍速信号にして、最後に、DVDへ２倍速録画をする。
【００１４】
また、本発明の高速ダビング装置は、n倍速で再生された信号を信号処理の単位である複数のセグメントに変換した後に、複数のセグメントをそれぞれ時間軸伸張し、１倍速の複数本のストリームを得る手段と、複数本のストリームを１倍速で再生の信号処理を行う手段と、信号処理した後に、複数のセグメントをそれぞれ時間軸圧縮してn倍速のベースバンド信号を得る手段と、n倍速のベースバンド信号をn倍速で記録する手段と、１倍速で再生の信号処理を行った後に、信号処理した複数のベースバンド信号から選択的にモニタ表示用のモニタリング信号を取り出す手段と、時間軸伸張及び伸張圧縮のために複数本のストリーム間の時間合わせ処理を行う手段とを備えたものである。
【００１５】
これによれば、例えば、まず、n倍速のテープスピード、n倍速のドラムスピードで再生しアナログRF信号を得る。このアナログRF信号をA/D変換して、そのRF信号をある単位で分割する。分割した単位毎にn倍に時間軸伸張してn本のストリームを得る。
【００１６】
次に、各ストリームを復調して、復調されたストリームを1/nへ時間軸圧縮することにより、n倍速のベースバンド信号をn倍で記録する。ここでは、例えば、ある単位を映像信号のフィールト単位とし、上記の方式で、n本のストリームの復調された信号を選択的に得て、NTSC(national television system committee)(PAL(phase alternation by line))エンコーダ経由で出力し、高速ダビング中の信号をモニタリング信号によりモニタで表示できるようにする。この際、水平ラインのスキュー補正用の遅延を復調の前のデジタルドメイン（領域）と復調後２倍速にするデジタルドメイン（領域）とで行う。
【００１７】
上述した倍速ダビングパラレル方式でのモニタリング手法により、例えば、２倍速でDVDなどデジタルメディアにダビングする際にモニタリングする場合には、１倍速に戻した信号系から選択的にモニタリングの信号を取り出すとともに、時間軸伸張、伸張圧縮のためのデジタル信号処理の部分で時間合わせを行う。これにより、アナログビデオ信号を倍速でDVDなどデジタルメディアにダビングできる方式において画像をモニタリング信号によりモニタリングする。
【００１８】
また、本発明の高速ダビング装置は、n倍速で再生された信号のうちの輝度信号を信号処理の単位である複数のセグメントに変換した後に、複数のセグメントをそれぞれ時間軸伸張し、１倍速の複数本の輝度信号のストリームを得る手段と、複数本の輝度信号のストリームを１倍速で再生の信号処理を行う手段と、n倍速で再生された信号のうちの色信号をn倍速で再生の信号処理を行う手段と、輝度信号の信号処理をした後に、複数の輝度信号のセグメントをそれぞれ時間軸圧縮して、信号処理後の色信号と混合してn倍速のベースバンド信号を得る手段と、n倍速のベースバンド信号をn倍速で記録する手段と、１倍速で輝度信号の再生の信号処理を行った後に、信号処理した複数の輝度信号のベースバンド信号から選択的にモニタ表示用の輝度信号のモニタリング信号を取り出す手段と、時間軸伸張及び伸張圧縮のために複数本の輝度信号のストリーム間の時間合わせ処理を行う手段と、n倍速で信号処理再生された色信号を信号処理の単位である複数のセグメントに変換した後に、複数のセグメントをそれぞれ時間軸伸張し、１倍速の複数本の色信号のストリームを得る手段と、１倍速の複数の色信号のベースバンド信号から選択的にモニタ表示用の色信号のモニタリング信号を取り出す手段と、時間軸伸張のために上記複数本の色信号のストリーム間の時間合わせ処理を行う手段とを備えたものである。
【００１９】
これによれば、例えば、まず、n倍速のテープスピード、n倍速のドラムスピードで再生しアナログRF信号を得る。このうち輝度信号のアナログRF信号をA/D変換して、その輝度信号のRF信号をある単位で分割する。分割した単位毎にn倍に時間軸伸張してn本の輝度信号のストリームを得る。
【００２０】
次に、各輝度信号のストリームを復調して、復調された輝度信号のストリームを1/nへ時間軸圧縮することにより、n倍速のベースバンド信号をn倍で記録する。この際、上記の方法で色信号のみは２倍速かつ低域変換のまま、くし型フィルタを通し復調してベースバンド信号に戻して輝度信号と混合してn倍速のベースバンド信号とする。
【００２１】
ここでは、例えば、ある単位を映像信号のフィールド単位とし、上記の方式で、n本の輝度信号のストリームの復調された信号を選択的に得て、NTSC(PAL)エンコーダ経由で出力し、高速ダビング中の信号をモニタリング信号によりモニタで表示できるようにする。この際、上記の方法で色信号のみは復調信号をある単位で分割する。分割した単位毎にn倍に時間軸伸張してn本の色信号のストリームを得る。このn本の輝度信号のストリーム及びn本の色信号のストリームからモニタリング信号を得る。
【００２２】
上述した倍速ダビングパラレル方式での色信号処理手法により、例えば、２倍速でDVDなどデジタルメディアにダビングする際に色信号処理手法を用いてモニタリングする場合には、デジタルドメイン（領域）で低域変換された２倍速の色信号をそのままくし型フィルタを通し、復調してベースバンドに戻し、これを時間軸伸張してモニタリング信号として用いると共に、倍速化の時間軸圧縮後の輝度信号と混合してn倍速のベースバンド信号とする。これにより、アナログビデオ信号を倍速でDVDなどデジタルメディアにn倍速のベースバンド信号を用いてダビングする際に色信号処理手法を用いてモニタリング信号を用いてモニタリングする。
【発明の効果】
【００２３】
本発明によれば、サブマスターテープを用いず、１台のダビング装置のみで直接n倍速ダビングをすることが可能となる。また、時間軸伸張した1倍速信号に対して信号処理を施すことができるので、アナログ再生系の（輝度信号、色信号分離、FM(frequency modulation)復調、ディエンファシス（ノンリニアディエンファシス）、くし型フィルタなどの再生の信号処理に従来の回路をそのまま用いることができる。このため、輝度信号、色信号の帯域劣化、干渉を少なくすることができる。
【００２４】
また、本発明によれば、n倍速ダビングシステムにおいて、１倍速になった信号を取り出すことで少ないコストでダビング中の信号をモニタリング信号として用いて表示することができる。
【００２５】
また、本発明によれば、色信号の周波数変換をしないので再生の信号処理において帯域制限フィルタでの波形劣化がなくなる。また、再生の信号処理においてくし型フィルタの遅延線がデジタル化され、アナログ信号処理における超音波振動素子を用いたガラス遅延線のようなスプリアスによる干渉や帯域特性の劣化をなくすことができる。
【発明を実施するための最良の形態】
【００２６】
以下には、説明を簡単にするため、２倍速ダビングについて説明する。
まず、倍速ダビングパラレル方式を説明する。
図１は、本発明による倍速ダビングパラレル方式を示す図であり、図１Ａは２倍速RF信号から１倍速RF信号（奇数セグメント）の生成、図１Ｂは２倍速RF信号から１倍速RF信号（偶数セグメント）の生成である。
【００２７】
まず、２倍速のテープスピード及び２倍速のドラムスピードでアナログビデオ信号を再生して２倍速のアナログRF信号１を得る。この２倍速のアナログRF信号１をA/D変換して、その２倍速のRF信号を図１Ａに示すＴ0〜Ｔ１、Ｔ２〜Ｔ３、Ｔ４〜Ｔ５における奇数セグメント単位で分割する。分割した奇数セグメント単位毎に２倍に時間軸伸張してＴ0〜Ｔ６の奇数セグメントの１倍速のアナログRF信号２を得る。例えば、奇数セグメントは奇数フィールドである。
【００２８】
また、２倍速のテープスピード及び２倍速のドラムスピードでアナログビデオ信号を再生して２倍速のアナログRF信号３を得る。この２倍速のアナログRF信号３をA/D変換して、その２倍速のRF信号を図１Ｂに示すＴ１〜Ｔ２、Ｔ３〜Ｔ４、Ｔ５〜Ｔ６における偶数セグメント単位で分割する。分割した偶数セグメント単位毎に２倍に時間軸伸張してＴ１〜Ｔ７の偶数セグメントの１倍速のアナログRF信号４を得る。例えば、偶数セグメントは偶数フィールドである。
【００２９】
この１倍速のアナログRF信号２及び１倍速のアナログRF信号４は２本のストリームとなる。
次に、各ストリームを復調して、復調されたストリームを1/２へ時間軸圧縮することにより、２倍速のベースバンド信号を２倍速で記録する。
【００３０】
図２は、パラレル方式倍速ダビング装置を示すブロック図である。
図２に示す１台の倍速ダビング装置において、２本のサブマスターテープを作らず、２倍速再生部１１において２倍速で再生された２倍速のアナログRF信号１，３はA/D変換部１２によりA/D変換されて奇数及び偶数のセグメント化を行われる。
【００３１】
そして、奇数セグメントは奇数セグメント時間軸伸張部１３により時間軸伸張されて、１倍速の奇数セグメントRF信号２に変換される。１倍速の奇数セグメントRF信号２はD/A変換部１４によりD / A変換された後にビデオ信号復調部１５により復調処理が施される。ビデオ信号復調部１５はアナログ再生系の（輝度信号、色信号分離、FM復調、ディエンファシス（ノンリニアディエンファシス）、くし型フィルタなどの再生の信号処理に従来の回路をそのまま用いることができる。
【００３２】
ビデオ信号復調部１５により復調処理が施された１倍速の奇数セグメントベースバンド信号はA/D変換部１６によりA/D変換された後に奇数セグメント時間軸圧縮部１７により時間軸圧縮されて、２倍速の奇数セグメントベースバンド信号に変換される。
【００３３】
また、偶数セグメントは偶数セグメント時間軸伸張部１８により時間軸伸張されて、1倍速の偶数セグメントRF信号４に変換される。１倍速の偶数セグメントRF信号４はD/A変換部１９によりD / A変換された後にビデオ信号復調部２０により復調処理が施される。ビデオ信号復調部２０はアナログ再生系の（輝度信号、色信号分離、FM復調、ディエンファシス（ノンリニアディエンファシス）、くし型フィルタなどの再生の信号処理に従来の回路をそのまま用いることができる。
【００３４】
ビデオ信号復調部２０により復調処理が施された１倍速の偶数セグメントベースバンド信号はA/D変換部２１によりA/D変換された後に偶数セグメント時間軸圧縮部２２により時間軸圧縮されて、２倍速の偶数セグメントベースバンド信号に変換される。
【００３５】
このように奇数セグメント時間軸伸張部１３及び偶数セグメント時間軸伸張部１８により１倍速の奇数セグメントRF信号２及び１倍速の偶数セグメントRF信号４の２本のストリームを得る。これをD / A変換された後にビデオ信号復調部１５及びビデオ信号復調部２０により１倍速で通常の再生系の信号処理を行い、A/D変換された後に奇数セグメント時間軸圧縮部１７及び偶数セグメント時間軸圧縮部２２により時間軸圧縮して２倍速の奇数セグメント及び偶数セグメントのベースバンド信号を得る。
【００３６】
２倍速の奇数セグメント及び偶数セグメントのベースバンド信号はシリアル化部２３によりマルチプレクスされて２倍速のベースバンド信号５となる。２倍速のベースバンド信号５は、ハードディスク装置（HDD）２５又は光ディスク装置（DVD）２６に２倍速で記録される。このときＣＧＭＳ(copy generation management system)−Ａ(analog)検出部２４によりコピーコントロールビットを用いてコピー世代の禁止制御が施される。なお、マクロビジョン方式により、垂直帰線期間のパルスを用いてコピー世代の禁止制御を行ってもよい。
【００３７】
上述したように、２倍速の再生信号はRF信号のままA/D変換することで、２倍速での輝度信号と色信号の分離は行わず、１倍速の状態で行う事で従来の信号処理をそのまま使う。
【００３８】
また、２倍速の記録はハードディスク装置（HDD）２５や光ディスク装置（DVD）２６が好適であるが、輝度信号、色信号はそれぞれの処理をするので、再生側の２倍速のベースバンド信号は輝度信号、色信号を合成しないままハードディスク装置（HDD(hard disc drive)）２５や光ディスク装置（DVD）２６へ送る。ハードディスク装置（HDD）２５や光ディスク装置（DVD）２６はその信号をMPEG(moving picture experts group)-2フォーマットなどにより圧縮をして記録する。
【００３９】
図３は、動作を示すフローチャートである。図３は、図２に示した倍速ダビング装置の動作を示す図である。
図３において、ダビングボタンが押されたか否かを判断し（ステップＳ１）、ダビングボタンが押されたら記録を開始し（ステップＳ２）、次に再生を開始する（ステップＳ３）。そして、停止ボタンが押されたか否かを判断し（ステップＳ４）、停止ボタンが押されたら記録を停止し（ステップＳ５）、次に再生を停止する（ステップＳ６）。
【００４０】
次に、上述した倍速ダビングパラレル方式におけるモニタリング手法を説明する。
図４は、高速ダビング半フィールド交代表示を示す図であり、図４Ａは２倍速RF信号から１倍速RF信号（奇数フィールド）の生成、図４Ｂは２倍速RF信号から１倍速RF信号（偶数フィールド）の生成、図４Ｃはモニタリング信号である。
上述した図１と同様の部分の説明を省略して図４の特有の部分のみを説明する。
【００４１】
まず、２倍速のアナログRF信号４１をA/D変換して、その２倍速のRF信号を図４Ａに示すＴ0〜Ｔ１、Ｔ２〜Ｔ３、Ｔ４〜Ｔ５における奇数フィールド単位で分割する。分割した奇数フィールド単位毎に２倍に時間軸伸張してＴ0〜Ｔ６の奇数フィールドの１倍速のアナログRF信号４２を得る。
【００４２】
また、２倍速のアナログRF信号４３をA/D変換して、その２倍速のRF信号を図４Ｂに示すＴ１〜Ｔ２、Ｔ３〜Ｔ４、Ｔ５〜Ｔ６における偶数フィールド単位で分割する。分割した偶数フィールド単位毎に２倍に時間軸伸張してＴ１〜Ｔ７の偶数フィールドの１倍速のアナログRF信号４４を得る。
【００４３】
このようにして得られた１倍速のアナログRF信号４２及び１倍速のアナログRF信号４４は２本のストリームとなる。
次に、各ストリームを復調して、復調されたストリームを1/２へ時間軸圧縮することにより、２倍速のベースバンド信号を２倍速で記録する。
【００４４】
この際、１倍速のアナログRF信号４２及び１倍速のアナログRF信号４４の２本のストリームのうち、図４Ａに示すＴ0〜Ｔ１の奇数フィールドの１倍速のアナログRF信号４２の上側６７及び図４Ｂに示すＴ１〜Ｔ２の偶数フィールドの１倍速のアナログRF信号４４の下側４８により１画面４６を構成し、図４Ａに示すＴ２〜Ｔ３の奇数フィールドの１倍速のアナログRF信号４２の上側６７及び図４Ｂに示すＴ３〜Ｔ４の偶数フィールドの１倍速のアナログRF信号４４の下側４８により１画面４６を構成し、図４Ａに示すＴ４〜Ｔ５の奇数フィールドの１倍速のアナログRF信号４２の上側６７及び図４Ｂに示すＴ５〜Ｔ６の偶数フィールドの１倍速のアナログRF信号４４の下側４８により１画面４６を構成するように、図４Ｃに示すモニタリング信号４５を生成する。
【００４５】
これにより、奇数フィールド及び偶数フィールドの１倍速のアナログRF信号４２，４４をそれぞれ復調し、半フィールドの時点で奇数フィールドの１倍速のアナログRF信号４２と偶数フィールドの１倍速のアナログRF信号４４とを切り替えることにより、図４Ｃに示すモニタリング信号４５を生成する。
【００４６】
モニタリング信号４５によるモニタ画面の上下半分ずつ元の絵柄が異なる表示となるが、従来のビデオの高速サーチと同様の表示方法である。画面内での絵柄は不自然であるが、時間的な輝度変化が激しくないためユーザの目に優しい画像となる。この方式は、例えば、動きの激しい画像に適し、とり逃しにくい画像を得ることができるが、画像が半分ずれるため不自然な画像となる。
【００４７】
図５は、半フィールド交代表示高速ダビング装置を示すブロック図である。
上述した図２と同様の部分及び対応する部分に同じ符号を付してその説明を省略して図５の特有の部分のみを説明する。
【００４８】
図５において、５２５本インターレース（２６２．５本）で奇数フィールド及び偶数フィールドの途中で切り替えると０．５ライン分のスキューが発生してしまうので、偶数フィールドの１倍速RF信号４４の状態で、０．５ライン遅延部５１により偶数フィールド（奇数フィールド）を０．５ライン分遅らせる処理を行う。これは、復調処理後の信号はアナログ信号なので０．５ライン分遅らせる処理は困難であるためである。復調処理後の奇数フィールド及び偶数フィールドのベースバンド信号（Ｙ、Ｒ−Ｙ、Ｂ−Ｙ）４７は切替部５３により選択的に切り替えられて、ＮＴＳＣエンコーダ５４によりモニタリング信号４５に変換されてモニタ５５にモニタリング信号４５による画像が表示される。
【００４９】
このときＮＴＳＣエンコーダ５4に対してＣＧＭＳ−Ａ検出部２４によりコピーコントロールビットを用いてコピー世代の禁止制御が施される。なお、マクロビジョン方式により、垂直帰線期間のパルスを用いてコピー世代の禁止制御を行ってもよい。これにより、ＮＴＳＣエンコーダ５4から出力されるモニタリング信号４５のダビングを禁止することができる。
【００５０】
このとき、ダビング用の奇数フィールド（偶数フィールド）の信号は奇数フィールド時間軸圧縮部１７により倍速に時間軸圧縮する前の時点で、０．５ライン遅延部５２により０．５ライン分遅らせる処理を行うことにより、時間軸を整える処理が行われる。
なお、上述した０．５ライン遅延はメモリによる処理を用いてもよい。
【００５１】
図６は、高速ダビング片フィールドのみ表示を示す図であり、図６Ａは２倍速RF信号から１倍速RF信号（奇数フィールド）の生成、図４Ｂは遅延制御パルス信号、図４Ｃは２倍速RF信号から１倍速RF信号（偶数フィールド）の生成、図４Ｄはモニタリング信号である。
上述した図４と同様の部分の説明を省略して図６の特有の部分のみを説明する。
【００５２】
上述し他ダビングの際、１倍速のアナログRF信号４２及び１倍速のアナログRF信号４４の２本のストリームのうち、図６Ａに示すＴ0〜Ｔ２の奇数フィールドの１倍速のアナログRF信号６２のみにより１画面を構成し、図６Ａに示すＴ２〜Ｔ４の奇数フィールドの１倍速のアナログRF信号４２のみにより１画面を構成し、図６Ａに示すＴ４〜Ｔ６の奇数フィールドの１倍速のアナログRF信号４２のみにより１画面を構成するように、図６Ｃに示すモニタリング信号６５を生成する。
【００５３】
このとき、図６Ｂに示す遅延制御パルス信号により、図６Ａに示すＴ２〜Ｔ４の奇数フィールドの１倍速のアナログRF信号62に対して、２フィールドおきに、０．５ライン遅延処理を行う。
【００５４】
これにより、奇数フィールド（又は偶数フィールド）の１倍速のアナログRF信号６２を復調し、片フィールドのみで出力することにより、図６Ｃに示すモニタリング信号６６を生成する。
【００５５】
モニタリング信号６６によるモニタ画面の上下で絵柄が割れないため画質がよいが、インターレースによる垂直解像度の改善効果はなくなる表示方法である。
【００５６】
図７は、片フィールド表示高速ダビング装置を示すブロック図である。
上述した図５と同様の部分及び対応する部分に同じ符号を付してその説明を省略して図７の特有の部分のみを説明する。
【００５７】
５２５本インターレース（２６２．５本）で奇数フィールドのみ表示すると２フィールドに１回、０．５ライン分のスキューが発生してしまうので、奇数フィールドの１倍速RF信号６２の状態で、０．５ライン遅延部７２により奇数フィールドを０．５ライン分遅らせる処理を行う。復調処理後の奇数フィールドのみのベースバンド信号（Ｙ、Ｒ−Ｙ、Ｂ−Ｙ）６７は、ＮＴＳＣエンコーダ７４によりモニタリング信号６６に変換されてモニタ５５にモニタリング信号６６による画像が表示される。このときＮＴＳＣエンコーダ７4に対してＣＧＭＳ−Ａ検出部２４によりコピー世代の制御が施される。
【００５８】
このとき、ダビング用の偶数フィールドの信号は偶数フィールド時間軸圧縮部２２により倍速に時間軸圧縮する前の時点で、０．５ライン遅延部７３により０．５ライン分遅らせる処理を行うことにより、時間軸を整える処理が行われる。遅延制御パルス発生部７１は、０．５ライン遅延部７２、７３の０．５ライン分遅らせる処理を２フィールドおきに制御する。
なお、上述した０．５ライン遅延はメモリによる処理を用いてもよい。
【００５９】
図８は、高速ダビング両フィールド表示を示す図であり、図８Ａは２倍速RF信号から１倍速RF信号（奇数フィールド）の生成、図８Ｂは２倍速RF信号から１倍速RF信号（偶数フィールド）の生成、図８Ｃはモニタリング信号である。
上述した図４と同様の部分の説明を省略して図８の特有の部分のみを説明する。
【００６０】
上述し他ダビングの際、１倍速のアナログRF信号８２及び１倍速のアナログRF信号８４の２本のストリームのうち、図８Ａに示すＴ0〜Ｔ２の奇数フィールドの１倍速のアナログRF信号８２のみにより１画面を構成し、図８Ａに示すＴ２〜Ｔ４の偶数フィールドの１倍速のアナログRF信号８４のみにより１画面を構成し、図８Ａに示すＴ４〜Ｔ６の奇数フィールドの１倍速のアナログRF信号８２のみにより１画面を構成するように、図８Ｃに示すモニタリング信号８５を生成する。
【００６１】
このとき、図８Ｂに示すＴ１〜Ｔ３、Ｔ５〜Ｔ７・・・の奇数フィールドの１倍速のアナログRF信号８４に対して、２フィールドに１回、０．５フィールド及び０．５ライン遅延処理を行う。
【００６２】
これにより、奇数フィールド及び偶数フィールドの１倍速のアナログRF信号を復調し、両フィールドで出力することにより、図８Ｃに示すモニタリング信号８５を生成する。
【００６３】
モニタリング信号８５によるモニタ画面の上下で絵柄が割れないため画質がよいが、インターレースによる垂直解像度の改善効果は得られる表示方法である。ただし、０．５フィールド分の遅延処理が必要である。この方式は、垂直解像度は得られるが、画像のコマがずれた状態となるため斜めのぎざぎざが現れる。
【００６４】
図９は、両フィールド表示高速ダビング装置を示すブロック図である。
上述した図５と同様の部分及び対応する部分に同じ符号を付してその説明を省略して図９の特有の部分のみを説明する。
【００６５】
偶数フィールドの１倍速RF信号８４の状態で、０．５フィールド及び０．５ライン遅延部９１により偶数フィールドを０．５フィールド及び０．５ライン分遅らせる処理を行う。復調処理後の奇数フィールド及び偶数フィールドのベースバンド信号（Ｙ、Ｒ−Ｙ、Ｂ−Ｙ）８７は切替部９３により選択的に切り替えられて、ＮＴＳＣエンコーダ９４によりモニタリング信号８５に変換されてモニタ５５にモニタリング信号８５による画像が表示される。このときＮＴＳＣエンコーダ９4に対してＣＧＭＳ−Ａ検出部２４によりコピー世代の制御が施される。
【００６６】
このとき、ダビング用の偶数フィールドの信号は偶数フィールド時間軸圧縮部１７により倍速に時間軸圧縮する前の時点で、０．５フィールド及び０．５ライン遅延部９２により０．５フィールド及び０．５ライン分遅らせる処理を行うことにより、時間軸を整える処理が行われる。
なお、上述した０．５フィールド及び０．５ライン遅延はメモリによる処理を用いてもよい。
【００６７】
次に、上述した倍速ダビングパラレル方式での色信号処理手法について説明する。
この倍速ダビングパラレル方式での色信号処理手法は、上述した倍速ダビングパラレル方式におけるモニタリング手法に対して、輝度信号と色信号とを別に処理するようにしたものである。以下、図１０〜図１３において、図４〜図９と同様の部分及び対応する部分に同じ符号を付してその説明を省略して倍速ダビングパラレル方式での色信号処理手法の特有の部分のみを説明する。
【００６８】
図１０は、色信号高速ダビング装置を示すブロック図である。
図１０において、輝度信号はノンリニアディエンファシスの特性を正確にデジタル化することは困難なので奇数フィールド及び偶数フィールドの1倍速RF信号１１２，１１４に対して従来の再生系信号処理を行う。ここで、色信号は周波数変換とくし型フィルタによるクロストーク除去が再生系の処理でガラス遅延線のスプリアスの問題や、周波数変換による波形特性の劣化があるので、色信号は2倍速RF信号のまま色信号処理部１０１によりくし型フィルタによるノイズ除去、色信号復調まで行なう。色信号復調処理後の色信号と倍速化の時間軸圧縮後の輝度信号と混合してn倍速のベースバンド信号とする。
【００６９】
図１１は、半フィールド交代表示色信号２倍速復調高速ダビング装置を示すブロック図である。
図１１において、色信号復調処理部１２１による色信号復調処理後の２倍速の色信号を奇数フィールド時間軸圧縮部１２２及び偶数フィールド時間軸伸張部１２３により時間軸伸張して奇数フィールド及び偶数フィールドの1倍速信号として、輝度信号と対応するように偶数フィールドの1倍速信号を０．５ライン遅延部１２４により０．５ライン遅延して、D/A変換部１２５，１２６によるD/A変換後に切替部１２７により交互に切り替えてベースバンド信号（Ｒ−Ｙ、Ｂ−Ｙ）１１７を得る。そして、この輝度信号のベースバンド信号（Ｙ）１１８及び色信号ベースバンド信号（Ｒ−Ｙ、Ｂ−Ｙ）１１７からＮＴＳＣエンコーダ５４よりモニタリング信号１１５を得る。
【００７０】
図１２は、片フィールド表示色信号２倍速復調高速ダビング装置を示すブロック図である。
図１２において、色信号復調処理部１２１による色信号復調処理後の２倍速の色信号を偶数フィールド時間軸伸張部１２３により時間軸伸張して偶数フィールドのみの１倍速信号として、輝度信号と対応するように偶数フィールドの1倍速信号を０．５ライン遅延部１２４により０．５ライン遅延して、D/A変換部１２６によるD/A変換後にベースバンド信号（Ｒ−Ｙ、Ｂ−Ｙ）１３８を得る。そして、この輝度信号のベースバンド信号（Ｙ）１３９及び色信号ベースバンド信号（Ｒ−Ｙ、Ｂ−Ｙ）１３８からＮＴＳＣエンコーダ７４よりモニタリング信号１３６を得る。
【００７１】
図１３は、両フィールド表示色信号２倍速復調高速ダビング装置を示すブロック図である。
図１３において、色信号復調処理部１２１による色信号復調処理後の２倍速の色信号を奇数フィールド時間軸圧縮部１２２及び偶数フィールド時間軸伸張部１２３により時間軸伸張して奇数フィールド及び偶数フィールドの１倍速信号として、輝度信号と対応するように偶数フィールドの１倍速信号を０．５フィールド及び０．５ライン遅延部１６１により０．５フィールド及び０．５ライン遅延して、D/A変換部１２５，１２６によるD/A変換後に切替部１２７により交互に切り替えてベースバンド信号（Ｒ−Ｙ、Ｂ−Ｙ）１５７を得る。そして、この輝度信号のベースバンド信号（Ｙ）１５８及び色信号ベースバンド信号（Ｒ−Ｙ、Ｂ−Ｙ）１５７からＮＴＳＣエンコーダ９４よりモニタリング信号１５５を得る。
【００７２】
上述した実施の形態では、２倍速のダビングのみを示したが、これに限らず、上述した本発明の構成を用いることにより、n（整数）倍速のダビングに適用することができることはいうまでもない。また、ビデオ信号復調部１５、ビデオ信号復調部２０、はアナログ信号処理の場合の説明をしたが、デジタル信号処理の場合はD/A変換部１４、D/A変換部１９、A/D変換部１６、A/D変換部２１は省略できる。
【図面の簡単な説明】
【００７３】
【図１】本発明による倍速ダビングパラレル方式を示す図であり、図１Ａは２倍速RF信号から１倍速RF信号（奇数セグメント）の生成、図１Ｂは２倍速RF信号から１倍速RF信号（偶数セグメント）の生成である。
【図２】パラレル方式倍速ダビング装置を示すブロック図である。
【図３】動作を示すフローチャートである。
【図４】高速ダビング半フィールド交代表示を示す図であり、図４Ａは２倍速RF信号から１倍速RF信号（奇数フィールド）の生成、図４Ｂは２倍速RF信号から１倍速RF信号（偶数フィールド）の生成、図４Ｃはモニタリング信号である。
【図５】半フィールド交代表示高速ダビング装置を示すブロック図である。
【図６】高速ダビング片フィールドのみ表示を示す図であり、図６Ａは２倍速RF信号から１倍速RF信号（奇数フィールド）の生成、図４Ｂは遅延制御パルス信号、図４Ｃは２倍速RF信号から１倍速RF信号（偶数フィールド）の生成、図４Ｄはモニタリング信号である。
【図７】片フィールド表示高速ダビング装置を示すブロック図である。
【図８】高速ダビング両フィールド表示を示す図であり、図８Ａは２倍速RF信号から１倍速RF信号（奇数フィールド）の生成、図８Ｂは２倍速RF信号から１倍速RF信号（偶数フィールド）の生成、図８Ｃはモニタリング信号である。
【図９】両フィールド表示高速ダビング装置を示すブロック図である。
【図１０】色信号高速ダビング装置を示すブロック図である。
【図１１】半フィールド交代表示色信号２倍速復調高速ダビング装置を示すブロック図である。
【図１２】片フィールド表示色信号２倍速復調高速ダビング装置を示すブロック図である。
【図１３】両フィールド表示色信号２倍速復調高速ダビング装置を示すブロック図である。
【図１４】従来の高速ダビング装置を示す図であり、図１４Ａは第１の再生信号、図１４Ｂは２倍速の記録信号、図１４Ｃは第１の再生信号である。
【符号の説明】
【００７４】
１１…２倍速再生部、１２…A/D変換部、１３…奇数セグメント時間軸伸張部、１４…D/A変換部、１５…ビデオ信号復調部、１６…A/D変換部、１７…奇数セグメント時間軸圧縮部、１８…偶数セグメント時間軸伸張部、１９…D/A変換部、２０…ビデオ信号復調部、２１…A/D変換部、２２…偶数セグメント時間軸圧縮部、２３…シリアル化部、２４…ＣＧＭＳ−Ａ検出部、２５…ハードディスク装置（HDD）、２６…光ディスク装置（DVD）、５１…０．５ライン遅延部、５２…０．５ライン遅延部、５３…切替部、５４…ＮＴＳＣエンコーダ、７１…遅延制御パルス発生部、７２…０．５ライン遅延部、７３…０．５ライン遅延部、７４…ＮＴＳＣエンコーダ、９１…０．５フィールド及び０．５ライン遅延部、９２…０．５フィールド及び０．５ライン遅延部、９３…切替部、９４…ＮＴＳＣエンコーダ、１０２…色信号処理部、１２１…色信号復調処理部、１２２…奇数フィールド時間軸圧縮部、１２３…偶数フィールド時間軸伸張部、１２４…０．５ライン遅延部、１６１…０．５フィールド及び０．５ライン遅延部
【図１】
2005341036.tif 000003
【図２】
2005341036.tif 000004
【図３】
2005341036.tif 000005
【図４】
2005341036.tif 000006
【図５】
2005341036.tif 000007
【図６】
2005341036.tif 000008
【図７】
2005341036.tif 000009
【図８】
2005341036.tif 000010
【図９】
2005341036.tif 000011
【図１０】
2005341036.tif 000012
【図１１】
2005341036.tif 000013
【図１２】
2005341036.tif 000014
【図１３】
2005341036.tif 000015
【図１４】
2005341036.tif 000016